(57)【要約】【課題】  本発明は、購買者に切り抜き用の剣道防具専用のメジャーを提供することで容易、かつ正確な測定を行うことができる剣道防具の採寸用メジャーテープを提供することを目的とするものである。【解決手段】  本発明は、可撓性を有する平面部材に印刷される面測定用メジャー部２と甲手測定用メジャー部３を切り取り、繋ぎ合わせる剣道防具の採寸用メジャーテープにおいて、前記面測定用メジャー部２および甲手測定用メジャー部３は、一定長さの帯体部４と、該帯体部４に繋ぎ合わせられるとともに、一定間隔ごとに目盛が付された前記帯体部４より狭小幅とされる目盛部５とから構成される。【選択図】      図１
2006052491.tif 000002
【特許請求の範囲】
【請求項１】
可撓性を有する平面部材に印刷される面測定用メジャー部と甲手測定用メジャー部を切り取り、繋ぎ合わせる剣道防具の採寸用メジャーテープにおいて、
前記面測定用メジャー部および甲手測定用メジャー部は、一定長さの帯体部と、該帯体部に繋ぎ合わせられるとともに、一定間隔ごとに目盛が付された前記帯体部より狭小幅とされる目盛部とから構成される
ことを特徴とする剣道防具の採寸用メジャーテープ。
【請求項２】
前記帯体部に前記目盛部が挿通可能となる挿入用切断線が印刷される
ことを特徴とする請求項１記載の剣道防具の採寸用メジャーテープ。
【請求項３】
前記いずれかの帯体部の裏面に一定間隔ごとに目盛が付された手最長長さ測定部が印刷される
ことを特徴とする請求項１または２記載の剣道防具の採寸用メジャーテープ。
【請求項４】
前記平面部材が紙面により形成される
ことを特徴とする請求項１、２、または３記載の剣道防具の採寸用メジャーテープ。
【発明の詳細な説明】
【技術分野】
【０００１】
本発明は剣道防具の採寸用メジャーテープに関する。詳しくは購入者が容易に剣道防具の面および籠手の採寸を取ることができる剣道防具の採寸用メジャーテープに係るものである。
【背景技術】
【０００２】
従来より服製のために首回りやウエストなど体の各部位の長さを測定するためのメジャーとして、例えば図１０に示すものがある。この周囲計測メジャーテープは、可撓性充分なメジャーテープ１０１の０ｍｍ起点１０２の外方に無色透明の剥離用片１０３を備え、被計測部にテープを巻廻して起点を計測数字付刻側１０４に当てがいあるいは差し通した際、その計測点で起点の部分が解放自在に繋止する構造とされるものである（特許文献１参照。）。
【０００３】
【特許文献１】実開昭４９−７７９４７号公報  （実施例、第１図）
【発明の開示】
【発明が解決しようとする課題】
【０００４】
しかしながら前記メジャーテープでは、首廻りや胸囲などを測定する場合には被計測部を巻回して測定するために、軽めの巻回、あるいは強めの巻回によって測定誤差が生じる問題がある。
【０００５】
また、剣道防具には面、籠手および胴があり、特に面および籠手の寸法採りには注意を要することになる。そこで面の寸法採りでは顎から頭頂部への周囲測定が必要となり、籠手では手の甲の周囲長さおよび手首から中指までの最長長さが必要となる。
【０００６】
したがって、これらの寸法採りは購入者が来店して必要な寸法を測定してもらっているのが現状である。しかし最近では剣道防具もインターネットや通信販売を通じて来店せずに販売できる形態が多くなってきており、この場合には購入者が顎から頭頂部への周囲測定および手の甲の周囲長さおよび手首から中指までの最長長さを測定し、メール等によって知らせる形態が取られているが、個々によって測定のバラツキがあり、また自身によって測定することができないことがあり、このことが通信販売のネックになっている。
【０００７】
本発明は、以上の点に鑑みて創案されたものであって、購買者に切り抜き用の剣道防具専用のメジャーを提供することで容易、かつ正確な測定を行うことができる剣道防具の採寸用メジャーテープを提供することを目的とするものである。
【課題を解決するための手段】
【０００８】
上記の目的を達成するために、本発明に係る剣道防具の採寸用メジャーテープは、可撓性を有する平面部材に印刷される面測定用メジャー部と甲手測定用メジャー部を切り取り、繋ぎ合わせる剣道防具の採寸用メジャーテープにおいて、前記面測定用メジャー部および甲手測定用メジャー部は、一定長さの帯体部と、該帯体部に繋ぎ合わせられるとともに、一定間隔ごとに目盛が付された前記帯体部より狭小幅とされる目盛部とから構成される。
【０００９】
ここで、インターネットなどの通信販売により注文を受けた受注者は、客先に紙面に面測定用メジャー部および甲手測定用メジャー部が印刷された採寸用メジャーテープを郵送する。そして受注者は印刷された帯体部と目盛部を挟みなどによって切り込み線に沿って切り抜き、これらをテープなどによって繋ぎ合せることで面測定用メジャー部および甲手測定用メジャー部を組み立てて、顎から頭頂部への周囲測定および手の甲の周囲長さを測定し、受注者に寸法を電話やメールなどによって知らせる構成とするものである。
【００１０】
また、前記いずれかの帯体部の裏面に一定間隔ごとに目盛が付された手最長長さ測定部が印刷され、この手最長長さ測定によって手首から中指までの最長長さを測定することで手の甲の周囲長さを測定値と合わせて注文者の手に合った籠手の製作が可能となる。
【発明の効果】
【００１１】
以上の構成よりなる本発明では、注文者に紙面に印刷された採寸用メジャーテープを郵便などによって送ることにより、これを切り取り面測定用メジャー部および甲手測定用メジャー部を組み立てることで容易に面および籠手用の採寸を行い、電話やメール等で受注者に寸法を知らせることでわざわざ店に出向かなくても剣道道具の注文を行うことが可能となる。
【００１２】
また、組み立てられる面測定用メジャー部および甲手測定用メジャー部は紙面で作成されるために強く締めることができないために採寸のバラツキが少なくなる。
【発明を実施するための最良の形態】
【００１３】
以下、本発明の実施の形態を図面を参酌しながら説明し、本発明の理解に供する。
図１は本発明を適用した剣道防具の採寸用メジャーテープの平面説明図、図２は、図１における裏面説明図である。
【００１４】
ここで示す採寸用メジャーテープは、可撓性を有する紙面１表面に面測定用メジャー部２および甲手測定用メジャー部３が印刷されるものである。
【００１５】
そこで面測定用メジャー部２は、一定長さとした２個の帯体部４と、この２個の帯体部４の一方に挿入用切断線５が印刷され、この挿入用切断線５からの帯体部４を繋ぎ合わせた長さを合算した状態の長さの目盛が順次付された目盛部６とから構成されるものである。
【００１６】
また、甲手測定用メジャー部３は、一定長さとした帯体部４と、この帯体部４に挿入用切断線５が印刷され、この挿入用切断線５から帯体部４端までの長さを合算した状態の長さの目盛が順次付された目盛部６とから構成されるものである。
【００１７】
これらの目盛部６は帯体部４より狭小幅とし、帯体部４に印刷された挿入用切断線５に切込みを入れることで、帯体部４を貫通して環状体を形成する構成とするものである。
【００１８】
また、甲手測定用メジャー部３の帯体部４の裏面には、帯体部４の一端を手首の付根位置として帯体部４の他端に向けて一定間隔ごとに目盛７が付された手最長長さ測定部８が印刷されるものである。
【００１９】
この手最長長さ測定部８は、帯体部４の一端に手首の付根を押し当てて中指までの長さを測定するものである。
【００２０】
次に図３および図４にそれぞれ示すように、紙面１表面に印刷された面測定用メジャー部２の一定長さとした２個の帯体部４と目盛部６をハサミなどによって切込み線に沿って切断する。
【００２１】
そしてそれぞれ切り取られた２個の帯体部４と目盛部６をテープ９によって各端面をつき合わせた状態で接合する。さらに一方の帯体部４に印刷される挿入用切断線５に沿ってカッターナイフなどによって切込みを入れる。このようにして帯状に接合された面測定用メジャー部２の目盛部６を切り込まれた挿入用切断線５に挿通することによって環状の面測定用メジャー部２を作成することができる。
【００２２】
また、図５および図６にそれぞれ示すように、紙面１表面に印刷された甲手測定用メジャー部３の帯体部４と目盛部６をハサミなどによって切込み線に沿って切断する。
【００２３】
そしてそれぞれに切り取られた帯体部４と目盛部６をテープ９によって各端面をつき合わせた状態で接合する。さらに一方の帯体部４に印刷される挿入用切断線５に沿ってカッターナイフなどによって切込みを入れる。このようにして帯状に接合された甲手測定用メジャー部３の目盛部６を切り込まれた挿入用切断線５に挿通することによって環状の甲手測定用メジャー部３を作成することができる。
【００２４】
以上の構成よりなる本発明では図７に示すように、面の寸法をとるために顎から頭頂部への周囲測定を行う場合には、面測定用メジャー部２の帯体部４が頭頂部Ａを覆うようにして環状とされる面測定用メジャー部２内に顎Ｂから頭頂部Ａを挿入する。
【００２５】
そして目盛部６を面測定用メジャー部２内面に顎から頭頂部の周囲が密着するまで引いて目盛部６に挿入用切断線５がかかる状態での目盛部６に記載された数字が顎から頭頂部の周囲長さとなる。
【００２６】
この場合には面測定用メジャー部２が紙面により形成されるために、目盛部６を強く引っ張ると引きちぎれることになり、常に引きちぎれない程度の力で引くことで測定誤差のバラツキを少なくすることが可能となる。
【００２７】
また、図８に示すように、手の甲Ｃの周囲測定を行う場合には、環状とされる甲手測定用メジャー部３内に手Ｄを入れて甲Ｃ周囲に密接するまで目盛部６を引いて目盛部６に挿入用切断線５がかかる状態での目盛部６に記載された数字が手Ｄの甲Ｃ周囲長さとなる。
【００２８】
更に、図９に示すように、手首から中指までの長さを測定する場合には、甲手測定用メジャー部３の帯体部４の裏面に印刷される手最長長さ測定部８の手首の付根位置に手首を付けて手Ｄの中指Ｅの先端がかかる目盛７に記載された数字が手首から中指までの手最長長さとなる。
【００２９】
なお、採寸用メジャーテープは必ずしも紙面により形成される必要性は無く、可撓性のある材質であれば薄板状のプラスチックやビニールなどの合成樹脂素材であっても構わないが、印刷がし易く、かつハサミなどで切断しやすい紙面が最も適している。
【００３０】
また、切込み線はハサミなどによって切断する他に、ミシン目を入れることで手によって切断することができる構成であっても良い。
【００３１】
このように剣道防具の購入者は、郵送されてきた紙面状の採寸用メジャーテープをハサミなどによって帯体部および目盛部を切り抜き、これらをテープによって繋ぎ合わせることにより面測定用メジャー部および甲手測定用メジャー部を作成し、面防具に採寸および籠手の採寸を測定して電話やメールなどで防具店に知らせることで来店をせずに剣道防具の注文を行うことが可能となる。
【００３２】
また、紙面によって面測定用メジャー部および甲手測定用メジャー部を作成することで強く締めることができないために測定数値のバラツキが少なく、帯体部に幅を持たせているために頭周囲の測定に際して安定した測定が可能となる。
【図面の簡単な説明】
【００３３】
【図１】本発明を適用した剣道防具の採寸用メジャーテープの平面説明図である。
【図２】図１における裏面説明図である。
【図３】本発明を適用した面測定用メジャー部の組み立て状態を示す説明図である。
【図４】本発明を適用した面測定用メジャー部の斜視図である。
【図５】本発明を適用した甲手測定用メジャー部の組み立て状態を示す説明図である。
【図６】本発明を適用した甲手測定用メジャー部の斜視図である。
【図７】本発明を適用した面測定用メジャー部による測定状態を示す説明図である。
【図８】本発明を適用した甲手測定用メジャー部による測定状態を示す説明図である。
【図９】本発明を適用した手最長長さ測定部による測定状態を示す説明図である。
【図１０】従来の周囲計測メジャーテープの一例を示す説明図である。
【符号の説明】
【００３４】
１      紙面
２      面測定用メジャー部
３      甲手測定用メジャー部
４      帯体部
５      挿入用切断線
６      目盛部
７      目盛
８      手最長長さ測定部
９      テープ
【図１】
2006052491.tif 000003
【図２】
2006052491.tif 000004
【図３】
2006052491.tif 000005
【図４】
2006052491.tif 000006
【図５】
2006052491.tif 000007
【図６】
2006052491.tif 000008
【図７】
2006052491.tif 000009
【図８】
2006052491.tif 000010
【図９】
2006052491.tif 000011
【図１０】
2006052491.tif 000012